(57)【要約】【課題】  開口部分を片手操作で確実に開閉操作できる開閉操作具を得ること、及び既存のポケットを物品ホルダーとして利用できるように、ならびに、長い筆記具や手帳などの保持も可能なポケットとして用いることができるようにする。【解決手段】  バネ材で構成された一対の操作体３１，３２同士は、両端部で連結されていて、一方の操作体３１に対する両端側から中央側への押し操作力が連結箇所Ｐを介して他方の操作体３２に伝達されるように、押し操作される一方の操作体３１の両端部間の長さＬ１よりも、その操作体３１に対する他方の操作体３２との連結箇所Ｐ間の長さＬ２を短くしてある。【選択図】        図２
2008240212.tif 000002
【特許請求の範囲】
【請求項１】
物品収容部の開口部分を開閉操作するための開閉操作具であって、
前記開口部分の周縁に沿って相対向して配設された一対の操作体からなり、
各操作体は、開口部分に沿う長手方向の両端側から中央側への押し操作で屈撓して開口部分を開放がわへ開き、弾性復元力で伸展して開口部分を閉じるように屈伸するバネ材で構成してあり、
各操作体同士は、両端部で連結されていて、一方の操作体に対する両端側から中央側への押し操作力が連結箇所を介して他方の操作体に伝達されるように、押し操作される一方の操作体の両端部間の長さよりも、その操作体に対する他方の操作体との連結箇所間の長さを短くしてあることを特徴とする開閉操作具。
【請求項２】
開口部分に沿って装着される操作体のうち、押し操作される操作体は、両端縁が下方側ほど外側へ広がる傾斜縁に形成されている請求項１載の開閉操作具。
【請求項３】
衣服のポケット内に装着する物品ホルダーであって、
ポケットを形成するポケット前布の裏面に対して取り付け可能な基布部分と、この基布部分と対向して物品を抱き込む状態に保持する抑え布部分とで、物品を抱持する布製の筒状部を構成し、
その筒状部は、下端側が開放されているとともに上端側に開閉自在な開口部分を備え、
前記開口部分に請求項１または２記載の開閉操作具を設けてある物品ホルダー。
【請求項４】
基布部分には、ポケット前布の裏面側に対して熱接着によって貼着可能な接着手段を施してある請求項３記載の物品ホルダー。
【請求項５】
請求項３または４記載の物品ホルダーを備えた衣服。
【請求項６】
衣服の前身頃に取り付けられたポケット前布と、このポケット前布と対向して前記前身頃との間に位置する抑え布部分とで、物品を抱持する布製の筒状部を構成し、
その筒状部の開口部分に請求項１または２記載の開閉操作具を設けてある衣服。
【発明の詳細な説明】
【技術分野】
【０００１】
本発明は、物品収容部の開口部分を開閉操作するための開閉操作具、あるいは、その開閉操作具を開口部分に用いて、携帯電話機や音楽用携帯ストレージなど、小型で衣服のポケットに入れて持ち運びたい物品を衣服のポケットに入れた状態に保持することのできる物品ホルダー、さらには、その物品ホルダーを備えた衣服の改良に関する。
【背景技術】
【０００２】
従来の開閉操作具や物品ホルダー、もしくは、物品ホルダーを備えた衣服としては、下記［１］〜［３］に記載のものが従来より知られている。
［１］ポケット前布の裏面と、これに対向する位置のシャツの前身頃の前面との両方に、ポケット開口縁に沿う方向で棒状の突起部を設け、ポケット内からの物品の飛び出しを抑制するように構成していた（例えば、特許文献１参照）。
［２］プラスチック製の板状バネ材をポケット開口の少なくとも一方側に設け、バネ材の曲げで開口を開き、直線姿勢への復帰によって開口を閉じるように構成したもの（例えば、特許文献２参照）。
［３］通常のポケットとは別に、ボケットが設けられた箇所の前身頃の裏面側（身体側）に内ポケットを設けて、その内ポケットに物品を投入することで、外側に位置する通常のポケットが内ポケットを蓋するように機能して物品の脱落を防止するように構成したもの（例えば、特許文献３参照）。
【０００３】
【特許文献１】実開昭６０−１８５６２１号公報
【特許文献２】特開２００１−２０７３１７号公報（段落番号０００６、図１、図２）
【特許文献３】特開平１１−１１７１０９号公報（段落番号００２０、図１、図２）
【発明の開示】
【発明が解決しようとする課題】
【０００４】
上記の各特許文献に示される技術では、次のような問題がある。
［１］
特許文献１に記載の従来技術では、ポケットの開口部の内側辺、つまり、ポケットを形成するポケット前布の裏面と、衣服の前身頃で前記ポケット前布に対向する位置の前面とのそれぞれに突条体を付設して、ポケット内容物の脱落を防止するようにしていた。この構造によれば、突条体が十分な弾性復元力を有していれば、所期の脱落防止効果を得ることが出来る点で有用なものであるが、衣服にポケットを縫製する作業が複雑となる問題がある。
［２］
特許文献２に記載の従来技術では、プラスチック製の板状バネ材をポケットの開口部に設けた小室に収納させることによって上記特許文献１に示される技術で問題となる縫製作業の複雑さを解消しようとしたものである。しかしながら、この特許文献２に記載のものも、前記特許文献１に記載のものにおいても、ポケットの上下方向長さよりも長いボールペン等の筆記具を差したり、ポケットの上下方向長さよりも長い手帳をポケットに収納すると、開口部に備えたバネ材の弾性復元機能が長い物品の存在で阻害されてバネ材による脱落防止効果が有効に働かなくなるという問題がある。
また、携帯電話機のように縦長形状で、かつ長さがポケットの横幅と同程度のものである場合、ポケット内に起立姿勢のままで収容されていると限らず、ポケット内で倒れた姿勢となることがあり、この倒伏姿勢ではポケットからの取り出しが行い難いという不具合がある。
［３］
特許文献３に記載の従来技術では、ポケットの構造自体が複雑になる不都合がある。
【０００５】
本発明は、開口部分を片手操作で確実に開閉操作できる開閉操作具を提供すること、ならびに、衣服に設けられている通常の既存のポケットを、簡単な構造の付加によって物品ホルダーとして有効に利用できるようにすること、および、ホルダーに収納された物品の脱落防止を図りながら長い筆記具や手帳などの保持も可能なポケットとして用いることができるようにすることを目的とする。
【課題を解決するための手段】
【０００６】
〔解決手段１〕
上記目的を達成するための解決手段の１つは、物品収容部の開口部分を開閉操作するための開閉操作具において、前記開口部分の周縁に沿って相対向して配設された一対の操作体からなり、各操作体は、開口部分に沿う長手方向の両端側から中央側への押し操作で屈撓して開口部分を開放がわへ開き、弾性復元力で伸展して開口部分を閉じるように屈伸するバネ材で構成してあり、各操作体同士は、両端部で連結されていて、一方の操作体に対する両端側から中央側への押し操作力が連結箇所を介して他方の操作体に伝達されるように、押し操作される一方の操作体の両端部間の長さよりも、その操作体に対する他方の操作体の連結箇所間の長さを短くしてあることである。
このように構成した本発明の開閉操作具は、一方の操作体に中央側への押し作用を働らかせて開放側へ屈曲させると、他方の操作体へは、連結箇所を介して他方の操作体を一方の操作体とは反対側へ屈曲させる作用力が働き、結局両操作体同士の中間部の間隔が開いて開口部分が開放されることになる。
【０００７】
〔解決手段２〕
上記目的を達成するための第２の解決手段としては、解決手段１記載の開閉操作具において、開口部分に沿って装着される操作体のうち、押し操作される操作体の両端縁が下方側ほど外側へ広がる傾斜縁に形成されているものであってもよい。
このように構成した本発明の開閉操作具は、下方側ほど外側へ広がる傾斜縁に形成された操作体の両端縁が、一平面に沿って移動しながら近づくように操作体を屈曲させると、操作体の中間部は両端部の位置よりも開口部分の上方側へ膨らんだ状態になる。つまり、操作体の中間部の位置が上方側へ膨らんだ状態となることで、少しでも物品収容部に収容される物品の許容長さを増すことが可能となる。
【０００８】
〔解決手段３〕
上記目的を達成するための第３の解決手段は、衣服のポケット内に装着する物品ホルダーにおいて、ポケットを形成するポケット前布の裏面に対して取り付け可能な基布部分と、この基布部分と対向して物品を抱き込む状態に保持する抑え布部分とで、物品を抱持する布製の筒状部を構成し、その筒状部は、下端側が開放されているとともに上端側に開閉自在な開口部分を備え、前記開口部分に上記解決手段１または２記載の開閉操作具を設けてあることである。
このように構成した本発明の物品ホルダーは、ポケットの内部に筒状部を形成したものであるから、その筒状部の径方向の大きさを適度に設定しておくことにより、携帯電話機のような縦長形状のものであっても、ポケット内で倒れて取り出しにくくなるような不具合を回避することができる。しかも、筒状部は下端が開放されているので、筒状部の上下方向長さによる制限をうけることなく、ポケット全体の上下方向長さを有効に収容空間として活用することができる。
また、開口部分の開閉手段は、ポケット前布でも衣服の前身頃でもなく、筒状部の開口部分に設けられるものであるから、開口部分を閉塞方向に付勢するバネ材の弾性復元力がポケット前布を衣服の前身頃側へ近づけるように作用するものではない。したがって、ポケット前布と衣服の前身頃との間隔は、開口部分を閉塞付勢するバネ材の影響を受けることなく自由な状態に保つことができる。
【０００９】
〔解決手段４〕
上記目的を達成するための第４の解決手段は、解決手段３に示す物品ホルダーにおいて、基布部分には、ポケット前布の裏面側に対して熱接着によって貼着可能な接着手段を施してあることである。
このように構成した本発明の物品ホルダーは、ポケット前布の裏面側に対する物品ホルダーの装着を、アイロンなどによって簡便に行うことができるので、既製の衣服に対しても簡単に取り付けることができる。
【００１０】
〔解決手段５〕
上記目的を達成するための第５の解決手段は、解決手段３または４に記載の物品ホルダーを衣服に備えたことである。
このように構成した本発明の衣服は、ポケット内に開閉手段付きの筒状部を備えた物品ホルダーを設けたものとなる。
【００１１】
〔解決手段６〕
上記目的を達成するための第６の解決手段は、衣服の前身頃に取り付けられたポケット前布と、このポケット前布と対向して前記前身頃との間に位置する抑え布部分とで、物品を抱持する布製の筒状部を構成し、その筒状部の開口部分に解決手段１または２記載の開閉操作具を設けてあることである。
すなわち、物品ホルダーの一部を衣服で兼用することにより、基布部分を省略しながら、ポケット前布と抑え布部分とで筒状部を構成することができ、ポケット自体の収容空間とは別の、脱落防止機能付きの物品収納空間を得ることができる。
【発明の効果】
【００１２】
〔解決手段１にかかる発明の効果〕
解決手段１を講じたことによる効果は次のとおりである。
すなわち、開閉操作具を開き操作する際に、一方の操作体を開放側へ屈曲させるように押圧操作するだけで、他方の操作体は連結箇所を介して反対側へ屈曲することになる。
したがって、開閉操作具を開放操作するにあたり、片手操作で簡単に、かつ確実に開口部分を開閉操作することが可能となり、両側の操作体が同じ側に屈曲して開口部分を開く側に移動しないような不具合を招く虞が少ない。
【００１３】
〔解決手段２にかかる発明の効果〕
解決手段２を講じたことによる効果は次のとおりである。
すなわち、操作体の中間部の位置が上方側へ膨らんだ状態となることで、少しでも物品収容部に収容される物品の許容長さを増すことが可能となる。したがって、例えばこの開閉操作具を物品収容部の開口部分に設けた場合に、物品が物品収容部の上下方向長さと同程度であるとか、多少長い場合にも、その持ち上げられた中間部で物品の上端側を係止して物品収容部からの抜け出しを抑止し得る利点がある。
【００１４】
〔解決手段３にかかる発明の効果〕
解決手段３を講じたことによる効果は次のとおりである。
筒状部の径方向の大きさを適度に設定することで、縦長形状の物品の姿勢を出し入れし易い姿勢に安定良く保持することができ、また、筒状部の長さによる制限を受けることなく物品収容部の上下方向長さの全体を有効利用して物品の保持を行うことができる。しかも筒状部は下方が開放されているので、筒状部の底にゴミ屑などが溜まることはなく、洗濯も行い易い利点がある。
また、ポケットの内部に開閉手段付きの筒状部を形成する本発明の物品ホルダーは、ポケット前布と衣服の前身頃との間隔は、開口部分を閉塞付勢するバネ材の影響を受けることなく自由な状態に保つことができるので、ポケットの上下長さよりも長い筆記具や手帳などの物品をポケットに収容する場合に、筒状部外のポケット部分に収容して、前記筒状部内の収容物品に対する脱落防止機能を損なわずに保持することが可能となる。
【００１５】
〔解決手段４にかかる発明の効果〕
解決手段４を講じたことによる効果は次のとおりである。
すなわち、ポケット前布の裏面側に対する物品ホルダーの装着を、アイロンなどによって簡便に行うことができるので、既成のシャツなどの衣服に対して、ユーザー側で簡単に物品ホルダーを装備させられる利点がある。
【００１６】
〔解決手段５にかかる発明の効果〕
解決手段５を講じたことによる効果は次のとおりである。
上記解決手段１〜４のいずれか１つに記載の物品ホルダーを衣服に備えたことにより、上述の作用効果を有した衣服を得られる利点がある。
【００１７】
〔解決手段６にかかる発明の効果〕
解決手段６を講じたことによる効果は次のとおりである。
すなわち、物品ホルダーを衣服の一部で兼用することにより、基布部分を省略しながら、ポケット前布と抑え布部分とで筒状部を構成することができ、ポケット自体の収容空間とは別の、脱落防止機能付きの物品収納空間を得ることができる。
したがって、この筒状部に収納される物品を、筒状部の上端開口を閉じ付勢することで脱落防止状態に保持し、衣服の前身頃と前記抑え布部分との間、及び前身頃とポケット前布との間では、前記バネ材による閉じ付勢力は作用せず自由な間隔となるので、ポケットの上下長さよりも長い筆記具や手帳などの物品をポケットに収容する場合に、筒状部外のポケット部分に収容して、前記筒状部内の収容物品に対する脱落防止機能を損なわずに保持することが可能となる。
【発明を実施するための最良の形態】
【００１８】
本発明における開閉操作具の実施の形態を添付図面に基づいて説明する。
〔開閉操作具の構造〕
本発明の開閉操作具３は、一対の操作体３１，３２で構成され、後述する物品ホルダーＡや衣服の開口部分２Ａに組み込まれた状態で使用されるものである。
前記一対の操作体３１，３２は、長手方向の両端側から中央側への押し操作で互いに離れる側に屈撓して、物品ホルダーＡや衣服の開口部分２Ａを開放がわへ開き、弾性復元力で伸展して開口部分２Ａを閉じるように屈伸するバネ材で構成してある。
このバネ材としては、両端側から手指で摘むことによる押し操作で屈曲可能で、かつ、指を離せば元の伸展姿勢に復帰可能な板材、もしくは線材で構成されていればよく、素材としては合成樹脂材やバネ鋼など、任意の材料を用いることが可能である。
【００１９】
操作体３１，３２として合成樹脂材を用いて構成した場合の一例を示す。
図１及び図２に示す操作体３１，３２は、アイソタクティック・ポリプロピレンを原材料として構成され、一対の操作体３１，３２の一端側同士を薄肉のヒンジ構造部分３３で接続した状態に一体形成してある。
各操作体３１，３２の前記ヒンジ構造部分３３で接続された側とは反対側の他端部のうち、一方の操作体３１の他端部には、係止用の係止孔３４が形成され、他方の操作体３２の端部には、前記係止孔３４に係入する突起部３５が形成してある。つまり、前記一方の操作体３１においては、前記ヒンジ構造部分３３が備えられた端縁と、その反対側の端縁との間における長さＬ１よりも、ヒンジ構造部分３３が設けられた端縁から前記係止孔３４が設けられた箇所までの距離Ｌ２が当然ながら短く形成されており、前記他方の操作体３２における前記ヒンジ構造部分３３が備えられた端縁から突起部３５が備えられた箇所までの距離Ｌ３も、前記一方の操作体３１の両端縁間の長さＬ１よりも短く構成されている。
つまり、両側から押し操作される前記一方の操作体３１の両端縁間の長さＬ１よりも、その操作体３１の係止孔３４に係止される他方の操作体３２の突起部３５との係合による連結箇所Ｐと、前記ヒンジ構造部分３３による連結箇所Ｐとの間の長さＬ２，Ｌ３を短く設定してある。
【００２０】
したがって、前記一方の操作体３１の両端を手指で摘んで両側から押し曲げるように操作すると、図４（Ｉ）の作用説明図に示すように、両端側から加えられる力Ｆ１，Ｆ２によって少し押し曲げられた一方の操作体３１を介して、他方の操作体３２との係合による連結箇所Ｐに斜め方向の力Ｆ３が作用する。この斜め方向の力Ｆ３の作用によって、図５（Ｉ）に示すように、他方の操作体３２が仮想線に示す方向に屈曲して、両操作体３１，３２同士が逆方向に屈曲することになり、両操作体３１，３２の中間部同士が離反して両者の間に物品を投入可能な開口部分２Ａとなる間隔が生じることになる。
【００２１】
〔開閉操作具の別実施形態の１〕
前記操作体３１，３２としては、次のような係合手段によって、その両端側で互いに係合連結された構造のものを採用してもよい。
すなわち、図３に示すように、一方側の操作体３１は、両端部に凹入切り欠き部３６を形成してあり、他方側の操作体３１には、両端部に前記切り欠き部３６に係合する凸部３７を形成してある。この凹入切り欠き部３６と凸部３７とは、図３（ＩＩＩ）に示すように、互いに係合して連結箇所Ｐを構成している。
【００２２】
したがって、一方の操作体３１の両端を手指で摘んで両側から押し曲げるように操作すると、図４（ＩＩ）の作用説明図に示すように、両端側から加えられる力Ｆ１，Ｆ２によって少し押し曲げられた一方の操作体３１を介して、他方の操作体３２との係合箇所Ｐに斜め方向の力Ｆ３，Ｆ４が作用する。この斜め方向の力Ｆ３，Ｆ４の作用によって、図５（ＩＩ）に示すように、他方の操作体３２が仮想線に示す方向に屈曲して、両操作体３１，３２同士が逆方向に屈曲することになり、両操作体３１，３２の中間部同士が離反して両者の間に物品を投入可能な開口部分２Ａとなる間隔が生じることになる。
【００２３】
〔開閉操作具の別実施形態の２〕
前記操作体３１，３２としては、次のような係合手段によって、その両端側で互いに係合連結された構造のものを採用してもよい。
すなわち、図６に示すように、一方側の操作体３１は、両端部に係止孔３４を形成してあり、他方側のバネ材３１には、両端部に前記係止孔３４に係入する円弧状の突起部３５を形成してある。
この係止孔３４と円弧状の突起部３５とが、図６（Ｉ）に示すように、互いに係合して連結箇所Ｐを構成しているものであり、その開閉操作は、前記〔別実施形態の１〕で説明した構造のものと同様の動作原理で同じように行われる。
【００２４】
そして、この構造の開閉操作具３では、その操作体３１，３２の両端縁３８を、下方側ほど外側へ広がる傾斜縁に形成してある点に特徴がある。
このように両端縁３８を傾斜縁に形成したことにより、図６（ＩＩ）に示すように、下方側ほど外側へ広がる傾斜縁に形成された操作体３１，３２の両端縁３８が、図中の線分ｙで示す一平面に沿って移動しながら互いに近づくように操作体３１，３２を屈曲させると、操作体３１の中間部は両端部の位置よりも開口部分２Ａの上方側へ膨らんだ状態になる。つまり、図中の線分ｘで示す開口部分２Ａの上縁に沿った位置よりも、操作体３１，３２の中間部の位置が上方側へ膨らんだ状態となることで、少しでも物品収容部に収容される物品の許容長さを増すことが可能となる。
前記両端縁３８の傾斜角度θは、バネ材３１の長手方向に沿う線分に対して４５度〜８０度程度、さらに好ましくは６０度から７５度程度であり、長手方向の左右両端側から容易に押し操作可能な傾斜角度範囲に設定してある。
【００２５】
〔物品ホルダー、及び物品ホルダーを備えた衣服〕
本発明における物品ホルダー、及び物品ホルダーを備えた衣服の実施の形態を添付図面に基づいて説明する。
【００２６】
〔全体の構造〕
本発明の物品ホルダーＡは、ワイシャツのようにポケット１を装備している既製の衣服に対して、後付でポケット１内に装着することのできるものであり、次のように構成されている。
すなわち、物品ホルダーＡは、ポケット１を形成するポケット前布１０の裏面１０ａに対して取り付け可能な基布部分２０と、この基布部分２０と対向して物品を抱き込む状態に保持する抑え布部分２１とで、物品２２を抱持する布製の筒状部２を構成し、かつ、その筒状部２を開閉操作するための開閉操作具３を備えている。
【００２７】
〔筒状部〕
前記筒状部２は、下端側が開放されているとともに上端側に開閉自在な開口部分２Ａを備えるように、基布部分２０と抑え布部分２１の左右両端側を縫着して筒状に形成してある。
前記基布部分２０は、ポケット前布１０の裏面１０ａ側に対向する側の布面２０ａが、熱接着性樹脂などによる貼着面（接着手段の一例）に構成されており、他側の布面２０ｂは非接着面に構成されている。
前記抑え布部分２１は、表裏とも非接着面に構成されている。筒状部２の上下方向長さは、ポケット１の上下方向長さの半分よりも少し長い程度であり、筒状部２に投入された携帯電話機などの物品２２が横倒れ状態になることを抑止し得る程度の上下方向長さ、ならびに横幅を有するように設定されている。
【００２８】
上記基布部分２０と抑え布部分２１には、その何れもが筒状部２の上端開口を構成する開口部分２Ａの上縁から筒状部２の内側へ向けて折り込まれた布片を連接して、筒状部２上端側に開閉操作具３を装備するための止め付け部２０ｃ，２１ｃを構成している。
【００２９】
〔開閉操作具〕
開口部分２Ａに装着される開閉操作具３は、前述の開閉操作具３と同じものであり、筒状部２の上端開口を閉じ側に付勢するとともに、その上端開口に沿う横側方からの外力で屈曲姿勢に変更されるに伴って前記上端開口を開き側に操作可能なバネ材からなる操作体３１，３２によって構成してある。
この操作体３１，３２は、前記布片で構成されるところの、筒状部２の内側に位置する止め付け部２０ｃと外側の基布部分２０との間、及び筒状部２の内側に位置する２１ｃと外側の抑え布部分２１との間に位置して、各止め付け部２０ｃ，２１ｃ側に止着された状態で設けられている。
前記操作体３１，３２は、アイロン掛けによって変形、変質しない程度の耐熱温度（例えば１２０〜２００°Ｃ程度）を有した薄板状の耐熱性樹脂材で構成されており、筒状部２に投入された物品の脱落を防止するように直線状に復元するための適度な弾性復元力を有している。
【００３０】
この操作体３１，３２は、前記基布部分２０や抑え布部分２１の横幅と同程度、つまり筒状部２を扁平状に変形させた状態の横幅と同程度の長さを有しているので、操作体３１，３２が直線状に復元した状態では、筒状部２の上端開口は扁平状となって、閉塞されていることになる。
この操作体３１の材質としては、開口部分２Ａを開閉操作可能な程度の弾性力と、前述したように、アイロン掛け等によって変形、変質しない程度の耐熱性を有したものであればよく、合成樹脂材料に限らず、バネ鋼などの金属、または金属に樹脂材をコーティングした構造のもの等であってもよい。
【００３１】
上述のように構成された物品ホルダーを、ポケット前布１０の裏側に、アイロン掛けなどによって熱接着することにより、物品ホルダーＡを備えた衣服が構成される。
【００３２】
〔開閉操作具を備えた衣服〕
本発明における開閉操作具を備えた衣服の実施の形態を添付図面に基づいて説明する。
【００３３】
図８に示すように、本発明の開閉操作具３を備えた衣服は、物品収容部をワイシャツの一部で、つまり、ワイシャツのポケット１形成のために使用されているポケット前布１０を、物品収容部の一部に兼用することによって構成されている。
すなわち、筒状部２を構成するにあたり、衣服の前身頃１１に取り付けられたポケット前布１０と、このポケット前布１０と対向して前記前身頃１１との間に位置する抑え布部分２１とで、物品を抱持する布製の筒状部２を構成している。
その筒状部２の開口部分２Ａに設けられる開閉操作具３は、前述の実施の形態で説明した任意の構造のものを採用することができる。
【００３４】
〔他の実施形態１〕
開閉操作具３の連結箇所Ｐにおける具体構造としては、前述の実施形態で示した構造のものに限らず、任意の構造、及び任意の構造の組み合わせを採用することができる。
【００３５】
〔他の実施形態２〕
開閉操作具３の操作体３１．３２の材質としては、衣服に適用して洗濯やアイロン掛けを繰り返して使用される場合には、フッ素樹脂系等の耐熱性、耐薬品性に優れた合成樹脂材料や、熱硬化性のエポキシ樹脂、あるいは耐熱性、耐薬品性に優れたエンジニアリングプラスチック等を用いればよく、要は、耐熱性、耐薬品性に優れ、適度な弾性を有するものであればよい。
【００３６】
〔他の実施形態３〕
筒状部２の人体側の面（抑え布側）には、電磁波遮蔽シートを貼着する、あるいは脱着できるようにしてもよい。
【図面の簡単な説明】
【００３７】
【図１】開閉操作具の展開図
【図２】開閉操作具の組み付け状態を示し、（Ｉ）が正面図、（ＩＩ）が（Ｉ）におけるａ−ａ線断面図
【図３】開閉操作具の別実施例を示し、（Ｉ）が一方の操作体の正面図、（ＩＩ）が他方の操作体の正面図、（ＩＩＩ）が組み付け状態を示す平面図
【図４】開閉操作具の作用説明図
【図５】開閉操作具の作用説明図
【図６】開閉操作具の他の実施形態を示し、（Ｉ）が操作体の組み付け状態を示す正面図、（ＩＩ）が作用説明図
【図７】物品ホルダーを示し、（Ｉ）が正面図、（ＩＩ）が（Ｉ）におけるａ−ａ線拡大断面図
【図８】開閉操作具を備えた衣服を示す断面図
【符号の説明】
【００３８】
Ａ            物品ホルダー
１            ポケット
２            筒状部
２Ａ          開口部分
３            開閉操作具
１０          ポケット前布
１１          前身頃
２０          基布部分
２１          抑え布部分
３１，３２    操作体
Ｌ１          操作体３１の両端部間の長さ
Ｌ２          操作体３１の一端と連結箇所Ｐ間の長さ
Ｐ            連結箇所
【図１】
2008240212.tif 000003
【図２】
2008240212.tif 000004
【図３】
2008240212.tif 000005
【図４】
2008240212.tif 000006
【図５】
2008240212.tif 000007
【図６】
2008240212.tif 000008
【図７】
2008240212.tif 000009
【図８】
2008240212.tif 000010